(57)【要約】【課題】一端側を開封するだけでフィルム内袋を外側の紙製筒状体から取り出すことが可能なフィルム内袋入り紙袋を提供すること。【解決手段】フィルム内袋入り紙袋１０は、紙製筒状体１１の内部に底端側をシールしたフィルム内袋１２を入れてなる紙袋形成部材１３を備え、その底端部１３ａは閉鎖されて底部閉鎖部１５を形成する。底部閉鎖部１５は、紙袋形成部材１３の底端部１３ａを折り曲げずに、これを跨ぐように第１補強紙１６をＵ字形にして包囲固定することで形成されている。口部１８は、紙製筒状体１１の壁面１１ｂに固着した開封テープ２１付き第２補強紙１９の一部を口端部端縁より外方へ突出させ、この突出部１９ｃにホットメルト接着剤２０を設け、内容物充填後に、紙袋形成部材の口端部１３ｂを折り曲げ、第２補強紙の突出部を紙製筒状体の壁面１１ａに接着し、この折曲げ部２３を押さえて閉鎖可能に構成されている。【選択図】　　図１
2004106849.tif 000002
【特許請求の範囲】
【請求項１】
底端側をシールして袋状にした合成樹脂製のフィルム内袋を少なくとも１層の紙製筒状体の内部に入れてなる紙袋形成部材の底端部を閉鎖した底部を備えるフィルム内袋入り紙袋において、
前記フィルム内袋入り紙袋の閉鎖された前記底部が、前記紙袋形成部材の前記底端部を折り曲げることなく該底端部を跨ぐように第１補強紙をＵ字形にして包囲し、この第１補強紙の両端部を前記紙製筒状体の各壁面に接着して形成され、前記フィルム内袋入り紙袋の口部は、前記紙製筒状体の一方の壁面に、開封テープを取り付けた第２補強紙の一端が接着され、かつその他端が前記紙袋形成部材の前記口端部における端縁より長手方向外方へ突出し、この突出部にホットメルト系接着剤が設けられており、
前記フィルム内袋入り紙袋の前記口部から前記フィルム内袋に内容物を充填した後に、前記フィルム内袋の口端側をシールすると共に前記紙袋形成部材の前記口端部を折り曲げ、前記ホットメルト系接着剤を再活性した後、前記第２補強紙の前記突出部を前記紙製筒状体の壁面に接着して閉鎖可能に構成されていることを特徴とするフィルム内袋入り紙袋。
【請求項２】
底端側をシールして袋状にした合成樹脂製のフィルム内袋を少なくとも１層の紙製筒状体の内部に入れた紙袋形成部材の底端部を閉鎖した底部を備えるフィルム内袋入り紙袋において、
前記フィルム内袋入り紙袋の閉鎖された前記底部が、前記紙袋形成部材の前記底端部を少なくとも１回折り曲げ、この折曲げ部をこれが重なる前記紙製筒状体の壁面に固定するように開封テープ付きの第１補強紙を配置接着して構成され、前記フィルム内袋入り紙袋の口部は、前記紙製筒状体の一方の壁面に第２補強紙の一端が接着され、かつその他端が前記紙袋形成部材の前記口端部における端縁より長手方向外方へ突出し、この突出部にホットメルト系接着剤が設けられ、前記フィルム内袋入り紙袋の前記口部から前記フィルム内袋に内容物を充填した後に、前記フィルム内袋の口端側をシールすると共に前記ホットメルト系接着剤を再活性し、前記第２補強紙の前記突出部だけを前記紙袋形成部材の前記口端部における端縁に沿って折り曲げて該突出部を前記紙製筒状体の壁面に接着して閉鎖可能に構成されていることを特徴とするフィルム内袋入り紙袋。
【請求項３】
底端側をシールして袋状にした合成樹脂製のフィルム内袋を少なくとも１層の紙製筒状体の内部に入れた紙袋形成部材の底端部を閉鎖した底部を備えるフィルム内袋入り紙袋において、
前記フィルム内袋入り紙袋の閉鎖された前記底部が、前記紙袋形成部材の前記底端部を折り曲げることなく該底端部を跨ぐように第１補強紙をＵ字形にして包囲し、この第１補強紙の両端部を前記紙製筒状体の各壁面に接着して形成され、前記フィルム内袋入り紙袋の口部は、前記紙製筒状体の一方の壁面に第２補強紙の一端が接着され、かつその他端が前記紙袋形成部材の前記口端部における端縁より長手方向外方へ突出し、この突出部にホットメルト系接着剤が設けられ、前記第１補強紙及び第２補強紙のいずれか一方又は両方に開封時に該補強紙を引き破る開封テープが設けられ、
前記フィルム内袋入り紙袋の前記口部から前記フィルム内袋に内容物を充填した後に、前記フィルム内袋の口端側をシールすると共に前記ホットメルト系接着剤を再活性し、前記第２補強紙の前記突出部だけを前記紙袋形成部材の前記口端部における端縁に沿って折り曲げて該突出部を前記紙製筒状体の壁面に接着して閉鎖可能に構成されていることを特徴とするフィルム内袋入り紙袋。
【請求項４】
前記第１、第２補強紙のうち、内容物充填後に前記口部が閉鎖された前記フィルム内袋入り紙袋における非開封予定側の端部に設けられている一方の前記補強紙の幅が前記紙製筒状体の幅より大きく、該補強紙が、その両側部を前記紙袋形成部材の両側縁より外方へ突出して設けられていることを特徴とする請求項１〜３のいずれかに記載のフィルム内袋入り紙袋。
【請求項５】
前記フィルム内袋入り紙袋の閉鎖された前記底部を構成する前記第１補強紙の両端部が、水溶性接着剤で前記紙製筒状体の前記各壁面に接着されていることを特徴とする請求項１〜４のいずれかに記載のフィルム内袋入り紙袋。
【請求項６】
前記紙製筒状体及び前記フィルム内袋の両方が、両端縁を直線切りで形成され、かつひだ無しであることを特徴とする請求項１〜５のいずれかに記載のフィルム内袋入り紙袋。
【発明の詳細な説明】
【０００１】
【発明の属する技術分野】
この発明はフィルム内袋入り紙袋に関し、更に詳しくは底端側をシールして袋状にした合成樹脂製のフィルム内袋を紙製筒状体の内部に入れ、底端部を閉鎖して構成されているフィルム内袋入り紙袋に関する。
【０００２】
【従来の技術】
従来、ポリエチレン等の合成樹脂製フィルム袋を内層袋として使用したフィルム内袋入り紙袋は、気密性、防湿性、クリーン性の点で適しているため大量に使用されている。具体的には、従来のフィルム内袋入り紙袋は、主にクラフト紙で形成された１〜３層の紙製外袋の内部にポリエチレンフィルム製の袋を内層袋として配置して構成され、砂糖、各種粉類、穀物或いはプロテイン等の食品類、若しくは樹脂ペレット等（以下、単に内容物と称する）を内層袋に入れて輸送や保管に使用されていた（例えば、特許文献１参照。）。
【０００３】
このようなフィルム内袋入り紙袋は、通称、フラッシュピンチ袋とも言われている。このフラッシュピンチ袋は、フィルム製筒状体の底端側をヒートシールして紙製筒状体内に配置し、このフィルム内袋と紙製筒状体との底端部を一緒に少なくとも１回折り曲げ、この折曲げ部の外側端縁を跨ぐように開封テープ付きの当て紙で該折曲げ部を包囲拘束して底部閉鎖部としたものであった。
【０００４】
このような従来のフィルム内袋入り紙袋における口部は、内容物を充填したフィルム内袋の口端側をヒートシールした後に、底部とまったく同様に、フィルム内袋と紙製外袋との口部を一緒に少なくとも１回折り曲げ、この折曲げ部の外側端部を跨ぐように開封テープ付きの当て紙で該折曲げ部を包囲拘束して封緘されていた。
【０００５】
【特許文献１】
特開平２−９８５５１号公報
【０００６】
【発明が解決しようとする課題】
このような、気密性、防湿性及びクリーン性の点で極めて使い勝手のよいフィルム内袋入り紙袋にも、開封時にフィルム内袋を紙製外袋から取り出す作業の容易性という点で問題があった。すなわち、内容物が充填されたフィルム内袋入り紙袋では、輸送又は保管等に供された後、内容物取り出しの際に、予めフィルム内袋だけを紙製外袋から取り出すことがある。
【０００７】
このようにフィルム内袋だけを紙製外袋から取り出す理由は、フィルム内袋から内容物を取り出すときにコンタミネーションの発生を防止するためである。すなわち、内容物を取り出す際にクリーンルームなどにフィルム内袋入り紙袋を搬入して開封すると、紙製外袋に付着している塵埃や紙製外袋を開封した時に出る切り屑などの塵埃などがフィルム内袋から取り出した内容物に混入する恐れがあるからである。そのため、クリーンルームの外でフィルム内袋を紙製外袋から取り出し、フィルム内袋だけをクリーンルームへ搬入するのである。
【０００８】
具体的には、最初に、紙製外袋の底部又は口部の一方において、開封テープ付き当て紙の該開封テープ端部を掴んで引き上げることにより該当て紙を線状に引き破り、折曲げ部を露出させ、その折りを戻す。次いで、このフィルム内袋入り紙袋を逆さまにして、紙製外袋の底部又は口部の他方を同様な手順で開封する。このようにフィルム内袋入り紙袋の底部と口部の両方においてフィルム内袋と紙製外袋との端部どうしを相互に係止している折り曲げを戻すことでその係止を解除し、フィルム内袋を紙製外袋から取り出す。この時、紙製外袋から取り出されたフィルム内袋は、その両端が未だヒートシール等により閉鎖されたままである。
【０００９】
そして、この未開封のフィルム内袋だけが、例えばクリーンルームなどに運ばれ、そこで、フィルム内袋の開封が行われて内容物が取り出される。しかし、従来のフィルム内袋入り紙袋では、フィルム内袋を紙製外袋から取り出す場合、フィルム内袋と紙製外袋との端部どうし相互の係止を解除すべく前述したように紙製外袋の両端を開封してその折曲げ部の折りを戻さなければならず、開封作業が非常に煩わしく、かつ時間が掛かる、という問題があった。そのため、フィルム内袋を紙製外袋から簡単に取り出すことのできるフィルム内袋入り紙袋の開発が望まれていた。
【００１０】
本発明の目的は、前述した従来の問題点を解決するためになされたもので、一端側を開封するだけでフィルム内袋を外側の紙製筒状体から取り出すことが可能なフィルム内袋入り紙袋を提供することにある。
【００１１】
【課題を解決するための手段】
前述した技術的課題を解決するため、本発明は、底端側をシールして袋状にした合成樹脂製のフィルム内袋を少なくとも１層の紙製筒状体の内部に入れた紙袋形成部材の底端部を閉鎖した底部を備えるフィルム内袋入り紙袋において、前記フィルム内袋入り紙袋の閉鎖された前記底部が、前記紙袋形成部材の前記底端部を折り曲げることなく該底端部を跨ぐように第１補強紙をＵ字形にして包囲し、この第１補強紙の両端部を前記紙製筒状体の各壁面に接着して形成され、
前記フィルム内袋入り紙袋の口部は、前記紙製筒状体の一方の壁面に、開封テープを取り付けた第２補強紙の一端が接着され、かつその他端が前記紙袋形成部材の前記口端部における端縁より長手方向外方へ突出し、この突出部にホットメルト系接着剤が設けられており、前記フィルム内袋入り紙袋の前記口部から前記フィルム内袋に内容物を充填した後に、前記フィルム内袋の口端側をシールすると共に前記紙袋形成部材の前記口端部を折り曲げ、前記ホットメルト系接着剤を再活性した後、前記第２補強紙の前記突出部を前記紙製筒状体の壁面に接着して閉鎖可能に構成されていることを特徴とする。
【００１２】
また、本発明は、底端側をシールして袋状にした合成樹脂製のフィルム内袋を少なくとも１層の紙製筒状体の内部に入れた紙袋形成部材の底端部を閉鎖した底部を備えるフィルム内袋入り紙袋において、前記フィルム内袋入り紙袋の閉鎖された前記底部が、前記紙袋形成部材の前記底端部を少なくとも１回折り曲げ、この折曲げ部をこれが重なる前記紙製筒状体の壁面に固定するように開封テープ付きの第１補強紙を配置接着して構成され、前記フィルム内袋入り紙袋の口部は、前記紙製筒状体の一方の壁面に第２補強紙の一端が接着され、かつその他端が前記紙袋形成部材の前記口端部における端縁より長手方向外方へ突出し、この突出部にホットメルト系接着剤が設けられ、前記フィルム内袋入り紙袋の口部から前記フィルム内袋に内容物を充填した後に、前記フィルム内袋の口端側をシールすると共に前記ホットメルト系接着剤を再活性し、前記第２補強紙の前記突出部だけを前記紙袋形成部材の前記口端部における端縁に沿って折り曲げて該突出部を前記紙製筒状体の壁面に接着して閉鎖可能に構成されていることを特徴とする。
【００１３】
さらに、本発明は、底端側をシールして袋状にした合成樹脂製のフィルム内袋を少なくとも１層の紙製筒状体の内部に入れた紙袋形成部材の底端部を閉鎖した底部を備えるフィルム内袋入り紙袋において、前記フィルム内袋入り紙袋の閉鎖された前記底部が、前記紙袋形成部材の前記底端部を折り曲げることなく該底端部を跨ぐように第１補強紙をＵ字形にして包囲し、この第１補強紙の両端部を前記紙製筒状体の各壁面に接着して形成され、前記フィルム内袋入り紙袋の口部は、前記紙製筒状体の一方の壁面に第２補強紙の一端が接着され、かつその他端が前記紙袋形成部材の前記口端部における端縁より長手方向外方へ突出し、この突出部にホットメルト系接着剤が設けられ、前記第１補強紙及び第２補強紙のいずれか一方又は両方に該補強紙を引き破る開封テープが設けられ、前記フィルム内袋入り紙袋の前記口部から前記フィルム内袋に内容物を充填した後に、前記フィルム内袋の口端側をシールすると共に前記ホットメルト系接着剤を再活性し、前記第２補強紙の前記突出部だけを前記紙袋形成部材の前記口端部における端縁に沿って折り曲げて該突出部を前記紙製筒状体の壁面に接着して閉鎖可能に構成されていることを特徴とする。
【００１４】
前述した本発明の各特徴に加えて、さらに前記第１、第２補強紙のうち、内容物充填後に前記口部が閉鎖された前記フィルム内袋入り紙袋における非開封予定側の端部に設けられている一方の前記補強紙の幅が前記紙製筒状体の幅より大きく、該補強紙が、その両側部を前記紙袋形成部材の両側縁より外方へ突出して設けられていることを特徴とする。また、前記フィルム内袋入り紙袋の閉鎖された前記底部を構成する前記第１補強紙の両端部が、水溶性接着剤で前記紙製筒状体の前記各壁面に接着されていることを特徴とする。さらにまた、本発明のフィルム内袋入り紙袋では、前記紙製筒状体及び前記フィルム内袋の両方が、両端縁を直線切りで形成され、かつひだ無しであることを特徴とする。
【００１５】
【発明の実施の形態】
次に、本発明のフィルム内袋入り紙袋を図に示される好適な実施形態について更に詳細に説明する。図１は本発明の一実施形態に係るフィルム内袋入り紙袋１０を扁平に折り畳んだ状態で、かつ一部を破断して示す平面図であり、図２はこのフィルム内袋入り紙袋１０を図１の２−２線で切断して模式的に示す構成説明図である。この実施形態に係るフィルム内袋入り紙袋１０は、１層の紙製筒状体１１と、その内部に配置された合成樹脂製のフィルム内袋１２とからなる紙袋形成部材１３を備え、この紙袋形成部材１３の底端部１３ａを閉鎖して構成されている。
【００１６】
紙製筒状体１１は、主にクラフト紙で形成された両端直線切りで、ひだの無い筒状体で形成され、フィルム内袋１２は、合成樹脂フィルムから形成され、紙製筒状体１１と同様に両端直線切りで、ひだの無い筒状体の底端をヒートシール（ヒートシール部を符号１４で示す）して形成されている。フィルム内袋１２を形成する合成樹脂フィルムとしては、熱可塑性樹脂フィルムが好ましく、更に熱可塑性樹脂フィルムとしてはポリエチレン樹脂から形成されたフィルムが好ましい。
【００１７】
紙袋形成部材１３の底端部１３ａが閉鎖されると、これによりフィルム内袋入り紙袋１０の閉鎖された底部、即ち底部閉鎖部１５が形成される。この底部閉鎖部１５は、紙製筒状体１１の扁平な底端１１ｃを折り曲げることなく該底端１１ｃを跨ぐように補強紙１６をＵ字形にして包囲し、この補強紙１６の両端部１６ａ、１６ｂを紙製筒状体１１の各壁面１１ａ、１１ｂに水溶性の接着剤１７で接着することにより構成されている。この底部閉鎖部１５は、将来、フイルム内袋１２を紙製筒状体１１から取り出す際に開封されることのない非開封予定端部であり、この非開封予定端部を形成している補強紙１６は、その幅方向の長さが紙製筒状体１１の幅より大きく、補強紙１６の両側部が紙袋形成部材１３の両側縁より均等に外方へ突出し、タブ１６ｃを形成している。
【００１８】
他方、フィルム内袋入り紙袋１０の口部１８は、一端１９ａが紙製筒状体１１の一方の壁面１１ｂに水溶性の接着剤１７で接着され、他端１９ｂが紙製筒状体１１の口端における端縁より長手方向外方へ突出している補強紙１９を備えて構成されている。紙製筒状体１１の口端縁より外方へ突出している補強紙１９の突出部１９ｃには、乾燥固化されたホットメルト系接着剤２０が他端１９ｂより紙製筒状体１１の長さ方向所定範囲で且つ全幅に塗布されており、また、この接着剤２０より紙製筒状体１１の口端縁寄りには、開封時に補強紙１９を引き破る開封テープ２１が設けられている。
【００１９】
この実施形態では、開封テープ２１が補強紙１９の突出部１９ｃに設けられているが、開封テープ２１の取り付け位置は、突出部１９ｃに限定されるものではなく、紙製筒状体１１の口端における一方の壁面１１ｂに対面する位置に取り付けられていてもよい。要するに、開封テープ２１は、補強紙１９を幅方向に引き破ることができる位置に取り付けられていればよい。フィルム内袋１２の口端側は、内容物が充填されるまで開放されている。
【００２０】
次に、この実施形態に係るフィルム内袋入り紙袋１０の使用方法について説明する。このフィルム内袋入り紙袋１０に、例えば、合成樹脂ペレットなどの内容物を入れて口部１８を封緘する場合には、最初に、フィルム内袋入り紙袋１０の口部１８からフィルム内袋１２に内容物を充填した後に該紙袋１０の口部１８を扁平にし、一対の加熱バー（図示せず）でヒートシール予定帯状領域を挟んで加熱し、フィルム内袋１２の口端側を全幅に亘ってヒートシールする（図３においてこのヒートシール部を符号２２で示す）。
【００２１】
その後、紙袋形成部材１３の口端部１３ｂを１回折り曲げ、次いで補強紙１９の突出部１９ｃに塗布されている乾燥固化されたホットメルト系接着剤２０に熱風を吹き付けてこれを再活性させた後、補強紙１９の突出部１９ｂを折り曲げ、紙袋形成部材１３の折曲げ部２３を覆って紙製筒状体１１の壁面１１ａに接着して閉鎖する。図３は、この状態、即ち内容物を充填して両端部を閉鎖した状態のフィルム内袋入り紙袋１０を示している。図３に示す例では、結果的に、補強紙１９をＵ字形にして紙袋形成部材１３における口端部１３ｂの折曲げ部２３を跨いで包囲するように配置し、その両端部１９ａ、１９ｂをそれぞれ紙製筒状体１１の両壁面１１ａ、１１ｂに接着して閉鎖したものであるが、図５に示すように開封テープ２１の付いた補強紙１９の一端部１９ａを折曲げ部２３の表面に貼り付け、他端部１９ｂを紙製筒状体１１の一壁面１１ａに接着して閉鎖したものであってもよい。
【００２２】
上述したようにして内容物が入れられた後の口部１８が封緘されたフィルム内袋入り紙袋１０を開封するときには、紙製筒状体１１とその内部のフィルム内袋１２との端部どうしを相互に拘束し合っている紙袋形成部材１３の端部を開封する必要がある。図１〜図３に示された実施形態の場合には紙袋形成部材１３の口端部１３ｂがそれであり、したがってこの口端部１３ｂを開封する。言い換えれば、この口端部１３ｂを開封するだけでよい。そこで、この口端部１３ｂ側におけるフィルム内袋入り紙袋１０の口部１８を封緘している補強紙１９には、予めこのことを想定して開封テープ２１が設けられているので、その一端を掴んで強く引っ張ると、補強紙１９が幅方向に線状に引き破かれ、フィルム内袋入り紙袋１０の口部１８が開封される。
【００２３】
このフィルム内袋入り紙袋１０では、前述したように紙製筒状体１１とフィルム内袋１２との端部どうしのうち、口部１８側に位置する端部どうしが該口部１８を封緘する際に折り曲げられることで相互に係止され、底部閉鎖部１５では紙袋形成部材１３の底端部１３ａが折り曲げられていないため、両方の端部どうしは相互に係止されていない。
【００２４】
そのため、フィルム内袋入り紙袋１０の底部閉鎖部１５を開封する必要はなく、該底部閉鎖部１５を構成している補強紙１６の両側部における左右のタブ１６ｃを利用して紙製筒状体１１を床などに押さえ付けている間に、該紙製筒状体１１からフィルム内袋１２を引き上げるなどして、開封された紙袋筒状体１１の口端からフィルム内袋１２を抜き出すと、フィルム内袋１２を簡単に紙製筒状体１１から取り出すことができる。
【００２５】
あるいは、フィルム内袋入り紙製１０における紙製筒状体１１の口端を上述したように開封した後に、このフィルム内袋入り紙製１０を逆さまにし、上に位置する底部閉鎖部１５の補強紙１６における左右のタブ１６ｃを把手としてそれを両手で掴んで紙製筒状体１１を引き上げると、内容物が充填されていて重量のあるフィルム内袋１２は、そのまま床に位置していて、紙製筒状体１１だけが引き上げられ、結果的にフィルム内袋１２を紙製筒状体１１から抜き出すことができる。
【００２６】
このようにして最終的に取り出されたフィルム内袋１２は、そのままクリーンルーム等に運び入れられて開封され、内容物がその内部から適宜の容器に取り出され、又は加工装置のホッパーなどに直接供給される。
【００２７】
この実施形態に係るフィルム内袋入り紙袋１０では、底部閉鎖部１５を、紙袋形成部材１３の扁平な底端部１３ａを折り曲げることなく該底端部１３ａを跨ぐように補強紙１６をＵ字形にして包囲して構成し、他方、内容物充填後の口部封緘の際に該口部１８についてのみ紙袋形成部材１３の口端部１３ｂを折り曲げ、この折曲げ部２３を補強紙１９にて押さえ、紙製筒状体１１とフィルム内袋１２の各端部どうしを相互に係止させていたが、本発明では、このような態様に限定されるものではない。
【００２８】
例えば、内容物を充填した後にフィルム内袋入り紙袋１０の口部１８を封緘した状態を概略的に示す図４のように、フィルム内袋入り紙袋１０の底部閉鎖部１５が、図１および図２に示す態様と同じように紙袋形成部材１３の扁平な底端部１３ａを折り曲げることなく該底端部１３ａを跨ぐように補強紙１６をＵ字形にして包囲して構成し、また内容物充填後の口部封緘の際の該口部１８についても紙袋形成部材１３の扁平な口端部１３ｂを折り曲げずに、該口端部１３ｂを単に跨ぐように補強紙１９をＵ字形に折曲して包囲してもよい。
【００２９】
この態様の場合には、紙製筒状体１１からフィルム内袋１２を取り出すとき、紙製筒状体１１の口端又は底端のいずれを開封してもよいので、開封する側の補強紙に開封テープ２１を設け、また非開封予定端部における補強紙の幅方向の長さを紙製筒状体１１の幅より大きくして、補強紙の両側部を紙袋形成部材１３の両側縁より均等に外方へ突出させて把手として使用可能なタブとする。もちろん、開封テープ２１は補強紙１６、１９の両方に設けられていてもよい。
【００３０】
開封テープ２１が補強紙１６、１９の両方に設けられていると、開封作業者がフィルム内袋入り紙袋１０を開封するとき、いずれの端部が開封側となっているのかを一々確認する必要がなく、偶然に上部に位置している紙袋１０の端部における補強紙を破いて該紙袋１０を開封することができる。また、この場合のように、フィルム内袋入り紙袋１０のいずれの端部が開封されるか分からないような場合には、両端部の補強紙１６、１９ともに両側部を紙袋形成部材１３の両側縁より均等に外方へ突出させてタブを形成しておいてもよい。
【００３１】
更に、フィルム内袋入り紙袋１０の底部閉鎖部１５を、図３に示す口部閉鎖構造と同様に紙袋形成部材１３の底端部１３ａを少なくとも１回折り曲げ、この折曲げ部を包囲するように補強紙１６をＵ字形にして配置し、その両端部１６ａ、１６ｂをそれぞれ紙製筒状体１１の両壁面１１ａ、１１ｂに接着して閉鎖するか、図５に示す口部閉鎖構造と同様に補強紙１６の一端部１６ａを折曲げ部の表面に貼り付け、他端部１６ｂを紙製筒状体１１の一壁面１１ａに接着して閉鎖した構造にし、フィルム内袋入り紙袋１０の口部１８の封緘については、紙袋形成部材１３の扁平な口端部１３ｂを折り曲げることなく、該口端部１３ｂを跨ぐように補強紙１９をＵ字形にして包囲し、その両端部をそれぞれ紙製筒状体１１の両壁面１１ａ、１１ｂに接着して閉鎖した構造にしてもよい。
【００３２】
この態様は、図３又は図５に示される内容物充填後のフィルム内袋入り紙袋１０を、上下を逆にして見た状態とまったく同じであるので、この態様については図示を省略する。なお、この態様では、前述してきた説明から明らかなように、開封テープ２１は紙製筒状体１１とフィルム内袋１２との端部どうしが紙袋形成部材１３の底端部１３ａの折曲げ部によって相互に係止されている底部閉鎖部１５の補強紙１６に設けられ、また開封時に、紙製筒状体１１の内部からフィルム内袋１２を取り出し易くするために、補強紙によって形成されるタブは、非開封予定端部である口部１８側における補強紙１９を紙袋形成部材１３の両側縁より均等に外方へ突出して形成される。
【００３３】
前述の実施形態のうち、紙製筒状体１１とフィルム内袋１２の端部どうしを拘束させるために、紙袋形成部材１３の両端部のうち、いずれか一方を１回折り曲げ、この折曲げ部を補強紙で押さえるようにした例に関し、紙袋形成部材１３の端部の折り曲げ回数は１回に限定されるものではなく、２回以上であってもよい。しかし、フイルム内袋入り紙袋の場合は、フィルム内袋の底端側がヒートシールされていて、内容物充填後には口端側もヒートシールすることが基本であるので、フィルム内袋１２から内容物が漏れる心配はなく、紙袋形成部材１３の一方の端部を複数回折り曲げることにあまり意味がない。
【００３４】
【発明の効果】
以上説明したように、本発明のフィルム内袋入り紙袋によれば、内容物が充填された後にその充填口を封緘した該紙袋を開封する際には、フィルム内袋入り紙袋における指定された一方の端部側の封緘を、開封テープを引き上げて補強紙を破るだけの操作で、紙製筒状体からフィルム内袋だけを非常に簡単に取り出すことができるため、大量のフィルム内袋入り紙袋を開封して紙製筒状体からフィルム内袋だけを取り出す場合、作業時間を大幅に短縮させることができ、かつこの作業労力も従来に比べて格段に軽減する。
【図面の簡単な説明】
【図１】本発明の一実施形態に係るフィルム内袋入り紙袋を扁平状態にして示す平面図である。
【図２】図１のフィルム内袋入り紙袋を２−２線で切断してその断面構造を模式的に示す構成説明図である。
【図３】内部に内容物を充填した後に口部を封緘した図１のフィルム内袋入り紙袋を概略的に示す構成説明図である。
【図４】内部に内容物を充填した後に口部を封緘した他の実施形態に係るフィルム内袋入り紙袋を概略的に示す部分的な構成説明図である。
【図５】紙袋形成部材の底端部を折り曲げて補強紙で固定する別の態様を示す部分的な斜視図である。
【符号の説明】
１０　フィルム内袋入り紙袋
１１　紙製筒状体
１１ａ、１１ｂ　壁面
１１ｃ　底端
１２　フィルム内袋
１３　紙袋形成部材
１３ａ　底端部
１３ａ　口端部
１４　ヒートシール部
１５　底部閉鎖部
１６　補強紙（第１補強紙）
１６ａ、１６ｂ　端部
１６ｃ　タブ
１７　水溶性の接着剤
１８　口部
１９　補強紙（第２補強紙）
２０　ホットメルト系接着剤
２１　開封テープ
２２　ヒートシール部
２３　折曲げ部
【図１】
2004106849.tif 000003
【図２】
2004106849.tif 000004
【図３】
2004106849.tif 000005
【図４】
2004106849.tif 000006
【図５】
2004106849.tif 000007